【手続補正書】
【提出日】平成19年3月23日(2007.3.23)
【手続補正１】
【補正対象書類名】明細書
【補正対象項目名】発明の名称
【補正方法】変更
【補正の内容】
【発明の名称】通信装置及び送信電力制御方法
【手続補正２】
【補正対象書類名】明細書
【補正対象項目名】特許請求の範囲
【補正方法】変更
【補正の内容】
【特許請求の範囲】
【請求項１】
複数のチャネルが多重された受信信号に基づいて信号電力対干渉電力比を測定する測定手段と、
前記複数のチャネルの、チャネル毎のフレーム誤り率とチャネル毎に予め設定されている目標フレーム誤り率とに基づいて、通信相手に指示するチャネル毎のゲイン制御情報を求めて出力するゲイン制御情報出力手段と、
前記測定手段により測定した前記信号電力対干渉電力比と目標信号電力対干渉電力比とに基づいて、前記通信相手に送信電力の増減を指示する指示情報を生成する指示情報生成手段と、
前記ゲイン制御情報出力手段から出力された前記チャネル毎のゲイン制御情報を含む制御データと前記指示情報生成手段により生成された前記指示情報とを多重して、前記通信相手に送信する送信手段と、
を有することを特徴とする通信装置。
【請求項２】
前記ゲイン制御情報出力手段は、
チャネル毎に配置される誤り訂正復号器からのデータ誤り率に基づいて、前記チャネル毎のフレーム誤り率を計算し、
前記チャネル毎のフレーム誤り率と前記チャネル毎に予め設定されている目標フレーム誤り率とに基づいて、前記チャネル毎のゲイン制御情報を生成することを特徴とする請求項１に記載の通信装置。
【請求項３】
前記ゲイン制御情報出力手段は、さらに、
前記チャネル毎のフレーム誤り率と前記チャネル毎に予め設定されている目標フレーム誤り率とに基づいて前記目標信号電力対干渉電力比を求めて前記指示情報生成手段に出力することを特徴とする請求項１又は請求項２に記載の通信装置。
【請求項４】
受信信号に含まれるチャネル毎のゲイン制御情報に基づいて、チャネル毎の送信ゲインを調整するチャネルゲイン調整手段と、
前記受信信号に含まれる送信電力の増減を指示する指示情報に基づいて、前記チャネルゲイン調整手段により送信ゲインを調整された複数チャネルが多重化された送信信号の送信電力量を調整する送信電力量調整手段と、
を有することを特徴とする通信装置。
【請求項５】
複数のチャネルが多重された受信信号に基づいて信号電力対干渉電力比を測定する測定工程と、
前記複数のチャネルの、チャネル毎のフレーム誤り率とチャネル毎に予め設定されている目標フレーム誤り率とに基づいて、通信相手に指示するチャネル毎のゲイン制御情報を求めて出力するゲイン制御情報出力工程と、
前記測定工程において測定した前記信号電力対干渉電力比と目標信号電力対干渉電力比とに基づいて、前記通信相手に送信電力の増減を指示する指示情報を生成し、前記ゲイン制御情報出力工程において出力された前記チャネル毎のゲイン制御情報を含む制御データと多重して前記通信相手に送信する送信工程と、
を有することを特徴とする送信電力制御方法。
【請求項６】
受信信号に含まれるチャネル毎のゲイン制御情報に基づいて、チャネル毎の送信ゲインを調整する第１調整工程と、
前記受信信号に含まれる送信電力の増減を指示する指示情報に基づいて、前記第１調整工程により送信ゲインを調整された複数のチャネルが多重化された送信信号の送信電力量を調整する第２調整工程と、
を有することを特徴とする送信電力制御方法。
【手続補正３】
【補正対象書類名】明細書
【補正対象項目名】０００１
【補正方法】変更
【補正の内容】
【０００１】
【発明の属する技術分野】本発明は、通信装置及び送信電力制御方法に関する。
【手続補正４】
【補正対象書類名】明細書
【補正対象項目名】０００６
【補正方法】変更
【補正の内容】
【０００６】
【課題を解決するための手段】
本発明は、複数のチャネルが多重された受信信号に基づいて信号電力対干渉電力比を測定する測定手段と、前記複数のチャネルの、チャネル毎のフレーム誤り率とチャネル毎に予め設定されている目標フレーム誤り率とに基づいて、通信相手に指示するチャネル毎のゲイン制御情報を求めて出力するゲイン制御情報出力手段と、前記測定手段により測定した前記信号電力対干渉電力比と目標信号電力対干渉電力比とに基づいて、前記通信相手に送信電力の増減を指示する指示情報を生成する指示情報生成手段と、前記ゲイン制御情報出力手段から出力された前記チャネル毎のゲイン制御情報を含む制御データと前記指示情報生成手段により生成された前記指示情報とを多重して、前記通信相手に送信する送信手段と、を有することを特徴とする通信装置を提供する。
【手続補正５】
【補正対象書類名】明細書
【補正対象項目名】０００７
【補正方法】変更
【補正の内容】
【０００７】
また、受信信号に含まれるチャネル毎のゲイン制御情報に基づいて、チャネル毎の送信ゲインを調整するチャネルゲイン調整手段と、前記受信信号に含まれる送信電力の増減を指示する指示情報に基づいて、前記チャネルゲイン調整手段により送信ゲインを調整された複数チャネルが多重化された送信信号の送信電力量を調整する送信電力量調整手段と、を有することを特徴とする通信装置を提供する。
【手続補正６】
【補正対象書類名】明細書
【補正対象項目名】０００８
【補正方法】変更
【補正の内容】
【０００８】
また、複数のチャネルが多重された受信信号に基づいて信号電力対干渉電力比を測定する測定工程と、前記複数のチャネルの、チャネル毎のフレーム誤り率とチャネル毎に予め設定されている目標フレーム誤り率とに基づいて、通信相手に指示するチャネル毎のゲイン制御情報を求めて出力するゲイン制御情報出力工程と、前記測定工程において測定した前記信号電力対干渉電力比と目標信号電力対干渉電力比とに基づいて、前記通信相手に送信電力の増減を指示する指示情報を生成し、前記ゲイン制御情報出力工程において出力された前記チャネル毎のゲイン制御情報を含む制御データと多重して前記通信相手に送信する送信工程と、を有することを特徴とする送信電力制御方法を提供する。
【手続補正７】
【補正対象書類名】明細書
【補正対象項目名】０００９
【補正方法】変更
【補正の内容】
【０００９】
また、受信信号に含まれるチャネル毎のゲイン制御情報に基づいて、チャネル毎の送信ゲインを調整する第１調整工程と、前記受信信号に含まれる送信電力の増減を指示する指示情報に基づいて、前記第１調整工程により送信ゲインを調整された複数のチャネルが多重化された送信信号の送信電力量を調整する第２調整工程と、を有することを特徴とする送信電力制御方法を提供する。
【手続補正８】
【補正対象書類名】明細書
【補正対象項目名】００４６
【補正方法】変更
【補正の内容】
【００４６】
以上説明したように、移動局から基地局へ複数のチャネルを送信するＣＤＭＡ移動体通信システムにおいて複数チャネルのチャネル毎に受信信号のフレーム誤り率（ＦＥＲ）と目標フレーム誤り率（ＦＥＲ）とを比較してチャネル毎の制御情報を生成する。この制御情報を制御チャネルデータに搭載して基地局から移動局へ送信することによって以下の効果を得る。１．基地局から移動局への送信制御ビットが１ビットしかない場合であっても複数のチャネルのそれぞれにおいて所望の通信品質を保つことができるようになる。２．その結果過剰な電力で送信するチャネルを無くすことができ、干渉電力の増加を抑えることができるようになる。
【発明の効果】
以上のように本発明によれば、複数のチャネルのそれぞれにおいて所望の通信品質を保つことができるようになる。その結果、干渉電力の増加を抑えることができるようになる。